(57)【特許請求の範囲】
【請求項１】
凸形状を有するシリンドリカルレンズが複数配列され、前記凸形状とは反対側に平坦面を有するレンチキュラレンズシートと、
前記平坦面側に設けられ、第１画像と第２画像とを有し、前記第１画像は、帯状に分割された複数の第１分割画像で構成され、かつ、前記第２画像は、帯状に分割された複数の第２分割画像で構成される画像形成層とを有し、
前記シリンドリカルレンズに対応する単位領域内には、前記第１分割画像と前記第２分割画像が、前記シリンドリカルレンズの配列方向に沿って配列されており、前記画像形成層は、前記レンチキュラレンズシートを介して観察する観察方向が変化すると前記第１画像と前記第２画像とが切り替わり、
前記第１画像は前記第２画像に対して相対的にピントが合っているフォーカス画像であり、前記第２画像は前記第１画像に対して相対的にピントをぼかすデフォーカス処理が施されたデフォーカス画像であり、
前記第１画像および前記第２画像は、同じ絵柄の画像であり、
前記画像形成層は、前記第１画像および前記第２画像に加えて、前記第１画像および前記第２画像の絵柄とは異なる絵柄の第３画像および第４画像を有しており、
前記第３画像および第４画像は、同じ絵柄の画像であり、
前記第１画像および前記第３画像は前記フォーカス画像で、前記第２画像および前記第４画像は前記デフォーカス画像であり、
前記第３画像は帯状に分割された第３分割画像から構成され、
前記第４画像は帯状に分割された第４分割画像から構成され、
前記単位領域において、前記第１分割画像、第３分割画像、前記第２分割画像、及び第４分割画像の順に配列されている装飾シート。
【請求項２】
同じ絵柄の前記フォーカス画像と前記デフォーカス画像の組において、前記フォーカス画像の前記絵柄のサイズに対して、デフォーカス画像の前記絵柄のサイズは大きい請求項１に記載の装飾シート。
【請求項３】
前記単位領域において、前記デフォーカス画像と前記フォーカス画像の前記配列方向におけるそれぞれの幅は、前記フォーカス画像の方が前記デフォーカス画像より相対的に広い請求項１又は２に記載の装飾シート。
【請求項４】
前記単位領域において、前記デフォーカス画像と前記フォーカス画像の前記配列方向におけるそれぞれの幅は、前記デフォーカス画像の方が前記フォーカス画像より相対的に広い請求項１又は２に記載の装飾シート。
【請求項５】
前記フォーカス画像は、画像内の中央に配置されたフォーカス領域と、前記フォーカス領域の周囲に配置された、デフォーカス処理が施されているデフォーカス領域を含む請求項１から４のいずれか１項に記載の装飾シート。
【請求項６】
前記フォーカス領域には人の顔が映っており、前記デフォーカス領域は人の背景が映っている請求項５に記載の装飾シート。
【発明の詳細な説明】
【技術分野】
【０００１】
本発明は、レンチキュラーレンズを用いた装飾シートに関する。
【背景技術】
【０００２】
各種製品の装飾に用いられる装飾シートが知られている。装飾シートの中にはレンチキュラレンズシートを用いた装飾シートがある（例えば特許文献１参照）。レンチキュラレンズシートを用いた装飾シートは、レンチキュラレンズシートと画像形成層で構成される。レンチキュラレンズシートは、凸形状を有するシリンドリカルレンズが複数配列され、凸形状とは反対側に平坦面を有するシートである。画像形成層は、レンチキュラレンズシートの平坦面側に設けられる。画像形成層は、例えば、第１画像と第２画像の２つの画像を有し、第１画像は、帯状に分割された複数の第１分割画像で構成され、かつ、第２画像は、帯状に分割された複数の第２分割画像で構成される。【０００３】
１つのシリンドリカルレンズに対応する単位領域内には、第１分割画像と第２分割画像が１つずつ、シリンドリカルレンズの配列方向に沿って配列されている。レンチキュラレンズシートを介して観察する観察方向が変化すると、ユーザーが観察する角度がシリンドリカルレンズに対して変化する。そうすると、観察する角度に応じて、ユーザーに視認される画像が第１分割画像及び第２分割画像のいずれか一方だけになる。これにより、視認される第１画像と第２画像の間で切り替わる。
【先行技術文献】
【特許文献】
【０００４】
【特許文献１】特開平１１−２１２０２４号公報
【発明の概要】
【発明が解決しようとする課題】
【０００５】
特許文献１に記載されているような従来のレンチキュラレンズシートを用いた装飾シートの趣向は多様である。例えば、２つの画像のそれぞれの内容である絵柄を変化させて、観察方向に応じて異なる絵柄をユーザーに視認させる趣向や、同じ絵柄で視差のある２つの画像を用いて立体視を可能にする趣向がある。【０００６】
発明者は、こうした装飾シートにさらなる改良を加えて、簡単な構成で、複数の画像の切り替わりによって絵柄が動くような視覚効果が得られるアイデアを検討していた。特許文献１に記載のレンチキュラーレンズを用いた装飾シートは、２つの画像を分離して観察することができるが、絵柄が動くような視覚効果は得られていなかった。【０００７】
本発明は、少なくとも２つの画像を用いて絵柄が動くような視覚効果が得られる装飾シートを提供することを目的とする。
【課題を解決するための手段】
【０００８】
本発明の装飾シートは、レンチキュラレンズシートと、画像形成層とを有し、シリンドリカルレンズに対応する単位領域内には、第１分割画像と第２分割画像が、シリンドリカルレンズの配列方向に沿って配列されており、画像形成層は、レンチキュラレンズシートを介して観察する観察方向が変化すると第１画像と第２画像とが切り替わり、第１画像は第２画像に対して相対的にピントが合っているフォーカス画像であり、第２画像は第１画像に対して相対的にピントをぼかすデフォーカス処理が施されたデフォーカス画像である。レンチキュラレンズシートは、凸形状を有するシリンドリカルレンズが複数配列され、凸形状とは反対側に平坦面を有する。画像形成層は、平坦面側に設けられ、第１画像と第２画像とを有し、第１画像は、帯状に分割された複数の第１分割画像で構成され、かつ、第２画像は、帯状に分割された複数の第２分割画像で構成されている。【０００９】
第１画像および第２画像は、同じ絵柄の画像であり、第１画像はフォーカス画像で、第２画像はデフォーカス画像であることが好ましい。【００１０】
画像形成層は、第１画像および第２画像に加えて、第１画像および第２画像の絵柄とは異なる絵柄の第３画像を有しており、単位領域において、第１分割画像、第２分割画像、第３画像を帯状に分割した第３分割画像の順に配列されることが好ましい。【００１１】
画像形成層は、さらに、第４画像を含み、第３画像および第４画像は、同じ絵柄の画像であり、第３画像はフォーカス画像で、第４画像はデフォーカス画像であり、単位領域において、第１分割画像、第３分割画像、第２分割画像、第４分割画像の順に配列されていることが好ましい。【００１２】
同じ絵柄のフォーカス画像とデフォーカス画像の組において、フォーカス画像の絵柄のサイズに対して、デフォーカス画像の絵柄のサイズは大きいことが好ましい。【００１３】
単位領域において、デフォーカス画像とフォーカス画像の配列方向におけるそれぞれの幅は、フォーカス画像の方がデフォーカス画像よりも相対的に広くてもよい。【００１４】
単位領域において、デフォーカス画像とフォーカス画像の配列方向におけるそれぞれの幅は、デフォーカス画像の方がフォーカス画像よりも相対的に広くてもよい。【００１５】
フォーカス画像は、画像内の中央に配置されたフォーカス領域と、フォーカス領域の周囲に配置された、デフォーカス処理が施されているデフォーカス領域を含んでいてもよい。【００１６】
フォーカス領域には人の顔が描かれており、デフォーカス領域は人の背景が描かれていることがこのましい。
【発明の効果】
【００１７】
本発明によれば、レンチキュラレンズシートを用いた装飾シートは、フォーカス画像と、ピントをぼかすデフォーカス処理が施されたデフォーカス画像との組み合わせで構成される画像形成層を有するので、少なくとも２つの画像を用いて絵柄が動くような視覚効果を得ることができる。
【図面の簡単な説明】
【００１８】
【図１】本発明の装飾シートの構成を示す斜視図である。
【図２】装飾シートを、シリンドリカルレンズを介して観察した場合に観察される画像を説明する説明図である。図２Ａは第１画像を示し、図２Ｂは第２画像を示し、図２Ｃは第３画像を示し、図２Ｄは第４画像を示す。
【図３】シリンドリカルレンズの単位領域内に配置される複数の分割画像の説明図である。
【図４】装飾シートをシリンドリカルレンズの配列方向に沿って切断した要部横断面図である。
【図５】装飾シートを腕時計の文字盤に使用した場合の説明図である。図５Ａは第１画像が視認される状態を示し、図５Ｂは第２画像が視認される状態を示し、図５Ｃは第３画像が視認される状態を示す。
【図６】デフォーカス画像の絵柄のサイズを大きくした第２実施形態の説明図である。
【図７】単位領域内においてフォーカス画像の幅の割合が相対的に大きな例である。
【図８】単位領域内においてデフォーカス画像の幅の割合が相対的に大きな例である。
【図９】単位領域におけるフォーカス画像とデフォーカス画像の幅の割合の組み合わせパターンを説明する表である。
【図１０】フォーカス画像の一部にデフォーカス領域が含まれる例の説明図である。
【図１１】装飾シートを自動車の内装品に貼り付けた例を示す斜視図である。
【図１２】装飾シートを湾曲させた状態を示す断面図である。
【発明を実施するための形態】
【００１９】
［第１実施形態］
図１に示すように、装飾シート１０は、レンチキュラレンズシート１１と、画像形成層１３とを備える。図１においては、便宜上、画像形成層１３とレンチキュラレンズシート１１とを分離した形態で示しているが、実際には、画像形成層１３はレンチキュラレンズシート１１の１面に形成されている。
【００２０】
レンチキュラレンズシート１１は、複数のシリンドリカルレンズ１５により構成されている。各シリンドリカルレンズ１５は、半円柱形の凸形状１５Ａを有し、この凸形状１５Ａとは反対側は平坦である。各シリンドリカルレンズ１５は、長手方向がＹ方向に延びており、隣接するシリンドリカルレンズ１５と平行に配列されている。すなわち、シリンドリカルレンズ１５は、Ｙ方向と直交するＸ方向に一定のピッチで配列されている。本例では、Ｘ方向は複数のシリンドリカルレンズ１５の配列方向である。レンチキュラレンズシート１１は、凸形状１５Ａとは反対側に平坦面１１Ａを有する。
【００２１】
レンチキュラレンズシート１１の材料としては、ＰＥＴ（ポリエチレンテレフタレート）、ＰＰ（ポリプロピレン）、ＰＥＴＧ（グリコール変性ポリエチレンテレフタレート）、ポリカーボネート、アクリル、アクリレート系樹脂などの透明な樹脂材料が用いられる。
【００２２】
画像形成層１３は、レンチキュラレンズシート１１の平坦面１１Ａ側に設けられている。画像形成層１３は、平坦面１１Ａに画像を印刷または転写することにより、平坦面１１Ａに直接形成されている。画像形成層１３の材料は、レンチキュラレンズシート１１の平坦面１１Ａに密着可能な材料であれば特に限定されず、公知の塗料等が用いられる。
【００２３】
なお、画像形成層１３をレンチキュラレンズシート１１に直接形成しなくてもよい。例えば、レンチキュラレンズシート１１とは別の透明シートに画像形成層１３を形成し、この透明シートを接着又は粘着などの方法を用いてレンチキュラレンズシート１１と接合してもよい。接着剤や粘着剤などの接合剤としては、レンチキュラレンズシート１１を介して画像形成層１３が観察できるように、透明な材料が用いられることが好ましい。
【００２４】
図２に示すように、画像形成層１３は、例えば、図２Ａに示す第１画像Ｐ１、図２Ｂに示す第２画像Ｐ２、図２Ｃに示す第３画像Ｐ３、図２Ｄに示す第４画像Ｐ４とで構成されている。第１画像Ｐ１と第２画像Ｐ２は、同じ絵柄の画像であり、絵柄は例えば花である。第１画像Ｐ１と第２画像Ｐ２は、絵柄は同じであるが、第１画像Ｐ１はフォーカス画像で、第２画像はデフォーカス画像である。ここで、フォーカス画像はデフォーカス画像に対して相対的にピントが合っている画像であり、デフォーカス画像はフォーカス画像に対して相対的にピントをぼかすデフォーカス処理が施された画像である。
【００２５】
デフォーカス処理は、絵柄をぼかすぼかし処理である。ぼかし処理は、例えば、画素の色を周囲の画素の色で平均化するぼかし処理などがある。この場合は平均化する画素の数を多くすることで、ぼかしが強くなる。この他に、ぼかし処理には、モザイク処理やシャープネス抑制処理が含まれる。
【００２６】
第１画像Ｐ１と第２画像Ｐ２の関係と同様に、第３画像Ｐ３と第４画像Ｐ４は、同じ絵柄の画像であり、絵柄は例えば葉である。第３画像Ｐ３と第４画像Ｐ４は、絵柄は同じであるが、第３画像Ｐ３はフォーカス画像で、第４画像はデフォーカス画像である。
【００２７】
図３に示すように、第１画像Ｐ１及び第２画像Ｐ２は、それぞれ帯状に分割された複数の第１分割画像ＳＰ１及び第２分割画像ＳＰ２で構成される。第３画像Ｐ３及び第４画像Ｐ４も、それぞれ帯状に分割された第３分割画像ＳＰ３及び第４分割画像ＳＰ４で構成される。複数の第１分割画像ＳＰ１のそれぞれには、第１画像Ｐ１の絵柄の一部が描かれている。第２分割画像ＳＰ２、第３分割画像ＳＰ３、第４分割画像ＳＰ４についても同様である。
【００２８】
レンチキュラレンズシート１１の平坦面１１Ａ上において、第１分割画像ＳＰ１は、長手方向をＹ方向に沿って配置される。言い換えると、第１分割画像ＳＰ１は、長手方向が、シリンドリカルレンズ１５の長手方向（Ｙ方向）に沿って配置される。第２分割画像ＳＰ２、第３分割画像ＳＰ３、第４分割画像ＳＰ４についても同様である。
【００２９】
レンチキュラレンズシート１１の平坦面１１Ａにおいて、シリンドリカルレンズ１５に対応する各単位領域ＵＲには、第１分割画像ＳＰ１、第２分割画像ＳＰ２、第３分割画像ＳＰ３、第４分割画像ＳＰ４が１つずつ配置されている。すなわち、１つの単位領域ＵＲには、第１分割画像ＳＰ１、第２分割画像ＳＰ２、第３分割画像ＳＰ３、第４分割画像ＳＰ４の４つ１組の分割画像が配置されている。
【００３０】
第１分割画像ＳＰ１と第３分割画像ＳＰ３はフォーカス画像であり、第２分割画像ＳＰ２と第４分割画像ＳＰ４はデフォーカス画像であるので、各単位領域ＵＲ内において、フォーカス画像とデフォーカス画像が交互に配列されている。
【００３１】
単位領域ＵＲのＸ方向の幅は、シリンドリカルレンズ１５のＸ方向の幅に対応している。本例では、第１分割画像ＳＰ１、第２分割画像ＳＰ２、第３分割画像ＳＰ３、第４分割画像ＳＰ４のそれぞれの幅Ｗは同じである。Ｗは単位領域ＵＲのＸ方向の幅の１／４であり、単位領域ＵＲのＸ方向の幅を、Ｗを用いて表せば、４×Ｗ＝４Ｗとなる。
【００３２】
図４は、装飾シート１０のＸ方向の断面を示す。図４に示すように、装飾シート１０は、レンチキュラレンズシート１１の凸形状１５Ａを有する側から観察される。シリンドリカルレンズ１５の凸形状１５Ａは、その焦点が画像形成層１３に位置するように曲率が設定されている。
【００３３】
図４に示す各単位領域ＵＲ内において、第１分割画像ＳＰ１、第２分割画像ＳＰ２、第３分割画像ＳＰ３、第４分割画像ＳＰ４は、左側から順に配列される。各シリンドリカルレンズ１５の作用により、各単位領域ＵＲ内の第１分割画像ＳＰ１、第２分割画像ＳＰ２、第３分割画像ＳＰ３、第４分割画像ＳＰ４のうち、ユーザーに視認される画像は観察方向に応じて変化する。
【００３４】
装飾シート１０を、平坦面１１Ａに対する直交方向ＤＶから右側に傾斜した第１方向Ｄ１から画像形成層１３を観察すると、第１分割画像ＳＰ１のみが観察される。また、装飾シート１０を、第１方向Ｄ１と直交方向ＤＶの間の第２方向Ｄ２から画像形成層１３を観察すると、第２分割画像ＳＰ２のみが観察される。また、装飾シート１０を、直交方向ＤＶよりも左側に傾斜した第４方向Ｄ４から画像形成層１３を観察すると、第４分割画像ＳＰ４のみが観察される。また、装飾シート１０を、第４方向Ｄ４と直交方向ＤＶの間の第３方向Ｄ３から画像形成層１３を観察すると、第３分割画像ＳＰ３のみが観察される。
【００３５】
第１分割画像ＳＰ１には、フォーカス画像である第１画像Ｐ１の花の絵柄の一部が形成されている。第２分割画像ＳＰ２には、第１画像Ｐ１と同じ花の絵柄のデフォーカス画像である第２画像Ｐ２の絵柄の一部が形成されている。第３分割画像ＳＰ３には、フォーカス画像である第３画像Ｐ３の葉の絵柄の一部が形成されている。第４分割画像ＳＰ４には、第３画像Ｐ３と同じ葉の絵柄のデフォーカス画像である第４画像Ｐ４の絵柄の一部が形成されている。
【００３６】
したがって、装飾シート１０は、レンチキュラレンズシート１１を介して観察する観察方向を、第１方向Ｄ１、第２方向Ｄ２、第３方向Ｄ３、第４方向Ｄ４と順に変化させることで、花の絵柄のフォーカス画像である第１画像Ｐ１、花の絵柄のデフォーカス画像である第２画像Ｐ２、葉の絵柄のフォーカス画像である第３画像Ｐ３、葉の絵柄のデフォーカス画像である第４画像Ｐ４が順に観察される。
【００３７】
上記構成による作用について図５を用いて説明する。図５は、装飾シート１０を腕時計４１の文字盤に使用した例である。図５において、腕時計４１は、長針と短針が約１０時５分を示している。装飾シート１０は、長針と短針の背景となる文字盤に用いられる。装飾シート１０が用いられた文字盤に対する観察方向を変化させると、視認される画像が第１画像Ｐ１から第４画像Ｐ４の各画像に切り替わる。図５Ａは、第１画像Ｐ１が視認される状態を示し、図５Ｂは、第２画像Ｐ２が視認される状態を示し、図５Ｃは、第３画像Ｐ３が視認される状態を示し、図５Ｄは、第４画像Ｐ４が視認される状態を示す。
【００３８】
第１画像Ｐ１は、フォーカス画像であるため、花の絵柄くっきりと視認される。対して、第２画像Ｐ２は、デフォーカス画像であるため、花の絵柄がぼけた状態で視認される。そのため、第２画像Ｐ２から第１画像Ｐ１に切り替わる際に、ぼけた花の絵柄がくっきりとした花の絵柄に切り替わるため、花があたかも文字盤から浮き上がるような視覚効果が生じる。反対に第１画像Ｐ１から第２画像Ｐ２に切り替わる際には、くっきりとした花の絵柄がぼけた花の絵柄に切り替わるため、花があたかも文字盤に沈み込むような視覚効果が生じる。
【００３９】
このため、フォーカス画像である第１画像Ｐ１とデフォーカス画像である第２画像Ｐ２の切り替わりによって花の絵柄が動くような視覚効果が得られる。フォーカス画像である第３画像Ｐ３とデフォーカス画像第４画像Ｐ４の切り替わりで生じる視覚効果も、第１画像Ｐ１と第２画像Ｐ２の切り替わりで生じる視覚効果と同様である。
【００４０】
本例においては、画像形成層１３は、同じ絵柄のフォーカス画像とデフォーカス画像を１組とすると、第１画像Ｐ１と第２画像Ｐ２の組と、第３画像Ｐ３と第４画像Ｐ４の組の２組の画像を有している。この例に限らず、画像形成層１３は、フォーカス画像とデフォーカス画像の組を３組以上有していてもよいし、１組でもよい。例えば、第１画像Ｐ１と第２画像Ｐ２の１組だけで画像形成層１３を構成してもよい。この場合には、単位領域ＵＲ内に第１分割画像ＳＰ１と第２分割画像ＳＰ２が１つずつ配置される。このようにフォーカス画像とデフォーカス画像の組が１組あれば、絵柄が動くような視覚効果が得られる。
【００４１】
そのため、画像形成層１３の構成を複雑化することなく、少なくとも２つの画像を用いて絵柄が動くような視覚効果を得ることができる。
【００４２】
また、本例のように、フォーカス画像とデフォーカス画像の組を２組設ければ、異なる絵柄を切り替えつつ、絵柄が動くような視覚効果が得られる。なお、フォーカス画像を２つ、デフォーカス画像を１つといった３つの画像の組み合わせでもよい。例えば、第１画像Ｐ１、第２画像Ｐ２、第３画像Ｐ３の３つの画像を１組として、これを各単位領域ＵＲに１組ずつ設ける。この場合でも、デフォーカス画像を絵柄が異なる２つのフォーカス画像の間に挟むことで、観察方向の変化によって、絵柄が動くような視覚効果が得られる。
【００４３】
また、画像形成層１３は、フォーカス画像とデフォーカス画像が１組あればよく、その場合にフォーカス画像とデフォーカス画像は同じ絵柄であることが好ましい。しかし、異なる絵柄でもよい。絵柄が異なる場合でも、フォーカス画像とデフォーカス画像の切り替えにより、絵柄によっては、フォーカス画像の絵柄が動くような視覚効果が得られる場合があることが実験によって確認されている。
【００４４】
［第２実施形態］
図６に示す第２実施形態は、同じ絵柄のフォーカス画像とデフォーカス画像の組において、フォーカス画像の絵柄のサイズに対して、デフォーカス画像の絵柄のサイズを大きくした例である。図６において、図６Ａに示す第１画像Ｐ１と、図６Ｃに示す第３画像Ｐ３は、いずれもフォーカス画像であり、第１実施形態における第１画像Ｐ１、第３画像Ｐ３と同様である。
【００４５】
図６Ｂに示す第２画像Ｐ２Ｌは、同じ花の絵柄の第１画像Ｐ１のデフォーカス画像であり、かつ、第２画像Ｐ２Ｌの花の絵柄のサイズは、第１画像Ｐ１の花の絵柄のサイズに対して大きい。具体的には、第１画像Ｐ１の絵柄に対して５％程度大きくなっている。図６Ｃに示す第３画像Ｐ３と図６Ｄに示す第４画像Ｐ４Ｌの関係も同様である。図６Ｄに示す第４画像Ｐ４Ｌは、同じ葉の絵柄の第３画像Ｐ３のデフォーカス画像であり、かつ、第４画像Ｐ４Ｌの葉の絵柄のサイズは、第３画像Ｐ３の葉の絵柄のサイズに対して大きい。具体的には、第３画像Ｐ３の絵柄に対して５％程度大きくなっている。
【００４６】
このように、デフォーカス画像の絵柄のサイズを、フォーカス画像の絵柄のサイズよりも大きくすることで、絵柄があたかも浮き上がるような視覚効果をより強くすることができる。
【００４７】
［第３実施形態］
図７及び図８に示す第３実施形態は、単位領域ＵＲにおける各分割画像ＳＰ１からＳＰ４の配列方向であるＸ方向における幅を変化させる例である。図７に示す例は、フォーカス画像とデフォーカス画像の配列方向（Ｘ方向）におけるそれぞれの幅は、フォーカス画像の方が広い。具体的には、フォーカス画像の第１分割画像ＳＰ１のＸ方向の幅をＷ１、デフォーカス画像の第２分割画像ＳＰ２の幅をＷ２とすると、Ｗ１＞Ｗ２である。また、フォーカス画像である第３分割画像ＳＰ３の幅をＷ３、デフォーカス画像の第４分割画像ＳＰ４の幅をＷ４とすると、Ｗ３＞Ｗ４である。
【００４８】
このように、単位領域ＵＲにおいて、フォーカス画像の配列方向（Ｘ方向）における幅をデフォーカス画像よりも広くすることで、絵柄が動く視覚効果において、絵柄がシャープに動く印象を与えることができる。
【００４９】
また、図８に示す例は、図７に示す例とは反対に、フォーカス画像とデフォーカス画像の配列方向（Ｘ方向）におけるそれぞれの幅は、デフォーカス画像の方が広い。具体的には、フォーカス画像である第１分割画像ＳＰ１とデフォーカス画像である第２分割画像ＳＰ２との関係では、Ｗ１＜Ｗ２である。また、フォーカス画像である第３分割画像ＳＰ３とデフォーカス画像である第４分割画像ＳＰ４との関係では、Ｗ３＜Ｗ４である。
【００５０】
図８に示す例のように、単位領域ＵＲにおいて、デフォーカス画像の配列方向（Ｘ方向）における幅をフォーカス画像よりも広くすることで、絵柄が動く視覚効果において、図７に示す例とは反対に、絵柄がゆっくりと動く印象を与えることができる。
【００５１】
図９は、単位領域ＵＲ内に、第１分割画像ＳＰ１から第４分割画像ＳＰ４の４つの分割画像を配置する場合のそれぞれの幅Ｗ１からＷ４の割合のパターンを例示した表である。本例において、絵柄Ａは花であり、絵柄Ｂは葉である。
【００５２】
パターン１とパターン２は、フォーカス画像の方がデフォーカス画像よりも幅が広い図７に示す例に対応するパターンである。パターン１は、フォーカス画像の幅Ｗ１は、Ｗ１＝Ｗ３＝５であるのに対して、デフォーカス画像の幅Ｗ２は、Ｗ２＝Ｗ４＝１である。パターン２は、フォーカス画像の幅Ｗ１は、Ｗ１＝Ｗ３＝４であるのに対して、デフォーカス画像の幅Ｗ２は、Ｗ２＝Ｗ４＝２である。パターン１とパターン２を比較すると、視覚効果において、フォーカス画像の幅の割合が広いパターン１の方が絵柄の動きがよりシャープな印象になる。
【００５３】
パターン３は、各幅Ｗ１からＷ４が同じ幅である例である。これは第１実施形態に対応する。
【００５４】
パターン４とパターン５は、デフォーカス画像の方がフォーカス画像よりも幅が広い図８に示す例に対応するパターンである。パターン４は、フォーカス画像の幅Ｗ１は、Ｗ１＝Ｗ３＝２であるのに対して、デフォーカス画像の幅Ｗ２は、Ｗ２＝Ｗ４＝４である。パターン５は、フォーカス画像の幅Ｗ１は、Ｗ１＝Ｗ３＝１であるのに対して、デフォーカス画像の幅Ｗ２は、Ｗ２＝Ｗ４＝５である。パターン４とパターン５を比較すると、視覚効果において、フォーカス画像の幅の割合が広いパターン５の方が絵柄の動きがよりゆっくりとした印象になる。
【００５５】
以上のように、単位領域内におけるフォーカス画像とデフォーカス画像の幅の割合を変化させることで、絵柄の動きの印象を変化させることができる。これらの割合はどのような視覚効果を重視するか、または絵柄との相性などに応じて適宜決定される。
【００５６】
［第４実施形態］
図１０に示す第４実施形態は、画像形成層１３を構成する、フォーカス画像である第１画像とデフォーカス画像である第２画像の組み合わせとして、第１画像Ｐ１００と、第２画像Ｐ２００を組み合わせる例である。第１画像Ｐ１００と第２画像Ｐ２００の絵柄は同じで、被写体４６として人物が映っている絵柄である。第２画像Ｐ２００は、画像内の全域にデフォーカス処理が施されたデフォーカス画像である。対して、第１画像Ｐ１００は、画像内の一部にデフォーカス処理が施されたデフォーカス領域４７を含み、その他の領域４８はピントが合っているフォーカス領域となるフォーカス画像である。
【００５７】
第１画像Ｐ１００において、ピントが合っているフォーカス領域４８は、例えば、被写体４６である人の顔が映っている領域である。一方、デフォーカス領域４７には、人の背景が映っている。このような第１画像Ｐ１００と第２画像Ｐ２００の組み合わせの場合には、観察方向が変化して、第１画像Ｐ１００と第２画像Ｐ２００が切り替わる際に、領域４８内の被写体４６の顔の部分のみが浮き上がるような視覚効果が生じる。このように、フォーカス画像は全面にピントが合っていなくてもよく、一部にデフォーカス処理が施されているデフォーカス領域４７を含んでいてもよい。本例の場合には、フォーカス画像全体ではなく、ピントが合っているフォーカス領域４８内の絵柄だけが動くような視覚効果が生じる。
【００５８】
以下、本発明の装飾シート１０の種々の使用形態について説明する。図１１は、装飾シート１０を、自動車２１の内装品に貼り付けた例を示している。装飾シート１０は、画像形成層１３側が内装品に接触するように貼り付けられる。
【００５９】
装飾シート１０は、例えば、自動車２１のステアリングホイール２２、ドアパネル２３、ダッシュボード２４などに貼り付けられる。装飾シート１０は、可撓性を有するので、貼り付け箇所の曲面に合わせて湾曲させた状態で貼り付けられている。例えば、図１１に示す例では、ダッシュボード２４の表面が曲面であり、この曲面形状に合わせて装飾シート１０を湾曲させている。図１２に示すように、レンチキュラレンズシート１１は可撓性を有しており、湾曲させることが可能である。
【００６０】
装飾シート１０の他の用途としては、例えば、カレンダの台紙として使用したり、壁を飾るウォールデコレーションなど、各種の飾り物に使用することも可能である。この他、スマートフォン、タブレットなどの電化製品の装飾や、家具などの物品の装飾に使用することも可能である。
【００６１】
また、第１画像Ｐ１や第２画像Ｐ２などの各画像の絵柄として、花や葉を例にしたが、絵柄は何でもよい。図１０に示したように人物が写っている写真でもよい。また、花、葉、人物といった明確な被写体が描かれている絵柄に限らず、ドットパターン、マーブル模様などの各種の模様でもよい。
【符号の説明】
【００６２】
１０  装飾シート
１１  レンチキュラレンズシート
１１Ａ  平坦面
１３  画像形成層
１５  シリンドリカルレンズ
１５Ａ  凸形状
２１  自動車
２２  ステアリングホイール
２３  ドアパネル
２４  ダッシュボード
４１  腕時計
４６  被写体
４７、４８  領域
Ｄ１  第１方向
Ｄ２  第２方向
Ｄ３  第３方向
Ｄ４  第４方向
ＤＶ  直交方向
Ｐ１、Ｐ１００  第１画像
Ｐ２、Ｐ２Ｌ、Ｐ２００  第２画像
Ｐ３  第３画像
Ｐ４、Ｐ４Ｌ  第４画像
ＳＰ１  第１分割画像
ＳＰ２  第２分割画像
ＳＰ３  第３分割画像
ＳＰ４  第４分割画像
ＵＲ  単位領域
Ｗ、Ｗ１、Ｗ２  幅
【図１】
0006987896.tif 000002
【図２】
0006987896.tif 000003
【図３】
0006987896.tif 000004
【図４】
0006987896.tif 000005
【図５】
0006987896.tif 000006
【図６】
0006987896.tif 000007
【図７】
0006987896.tif 000008
【図８】
0006987896.tif 000009
【図９】
0006987896.tif 000010
【図１０】
0006987896.tif 000011
【図１１】
0006987896.tif 000012
【図１２】
0006987896.tif 000013